(57)【特許請求の範囲】
【請求項１】
セグメント方式のＯＦＤＭ（直交周波数分割多重）信号を受信し、前記ＯＦＤＭ信号を周波数領域の信号に復調するＯＦＤＭ復調部と、
前記ＯＦＤＭ信号の受信品質を示す品質情報として、ドップラーシフト値を前記周波数領域の信号に含まれるシンボルから検出する品質情報検出部と、
前記ドップラーシフト値に基づいて復調するセグメントを前記ＯＦＤＭ復調部に指示する復調セグメント指示部と、
を備えることを特徴するＯＦＤＭ受信装置。
【請求項２】
請求項１に記載のＯＦＤＭ受信装置において、さらに、
前記ＯＦＤＭ復調部を動作させるシステムクロックの周波数を、前記復調するセグメントに応じて変更するクロック生成部、
を備えることを特徴とするＯＦＤＭ受信装置。
【請求項３】
請求項２に記載のＯＦＤＭ受信装置において、
前記ＯＦＤＭ復調部は、
前記ＯＦＤＭ信号を、第１のサンプリングクロックに基づいてデジタル信号に変換する
Ａ／Ｄ変換部と、
第２のサンプリングクロックに基づく高速フーリエ変換を実行して、前記デジタル信号を前記周波数領域の信号に変換する高速フーリエ変換部と、
を含み、
前記ＯＦＤＭ受信装置は、さらに、
前記システムクロックを所定の第１の分周比で分周して前記第１のサンプリングクロックを生成し、前記システムクロックを所定の第２の分周比で分周して前記第２のサンプリングクロックを生成するサンプリングクロック生成部、
を備えることを特徴とするＯＦＤＭ受信装置。
【請求項４】
請求項３に記載のＯＦＤＭ受信装置において、
前記ＯＦＤＭ復調部は、さらに、
前記デジタル信号をダウンコンバージョンする周波数変換部と、
前記復調セグメント指示部の指示に基づいて、ダウンコンバージョンされた前記デジタル信号から、前記復調するセグメントに対応する信号を抽出する適応フィルタと、
を含み、
前記ＯＦＤＭ受信装置は、さらに、
前記システムクロックを所定の第３の分周比で分周して、前記デジタル信号のダウンコンバージョンに用いられるクロックを生成する周波数変換クロック生成部、
を備えることを特徴とするＯＦＤＭ受信装置。
【請求項５】
請求項３または請求項４に記載のＯＦＤＭ受信装置において、
前記高速フーリエ変換部は、
一つのセグメントに対応する前記デジタル信号を高速フーリエ変換する第１の演算部と、
複数のセグメントに対応する前記デジタル信号を高速フーリエ変換する第２の演算部と、
前記復調するセグメントに応じて、前記第２のサンプリングクロックを前記第１の演算部および前記第２の演算部のいずれかに供給する制御部と、
を含むことを特徴するＯＦＤＭ受信装置。
【請求項６】
請求項１ないし請求項５のいずれかに記載のＯＦＤＭ受信装置において、
前記品質情報検出部は、前記周波数領域の信号からＣ／Ｎを検出することを特徴とするＯＦＤＭ受信装置。
【請求項７】
請求項１ないし請求項５のいずれかに記載のＯＦＤＭ受信装置において、さらに、
前記周波数領域の信号を復号してデータ信号を生成する復号部、
を備え、
前記品質情報検出部は、前記データ信号の誤り訂正に基づいて得られるＢＥＲを検出することを特徴とするＯＦＤＭ受信装置。
【請求項８】
請求項１ないし請求項７のいずれかに記載のＯＦＤＭ受信装置において、
前記復調セグメント指示部は、           
前記ＯＦＤＭ信号に含まれる制御信号を、前記周波数領域の信号から検出する制御信号検出部、
を含み、
前記復調セグメント指示部は、前記制御信号に基づいて前記復調するセグメントの変更が可能かどうかを判断することを特徴とするＯＦＤＭ受信装置。
【請求項９】
請求項２に記載のＯＦＤＭ受信装置において、
前記復調セグメント指示部は、前記ＯＦＤＭ信号に含まれるガードインターバルを受信するタイミングで前記復調するセグメントを前記ＯＦＤＭ復調部に指示し、
前記クロック生成部は、前記システムクロックの周波数を前記タイミングで変更することを特徴とするＯＦＤＭ受信装置。
【発明の詳細な説明】
【技術分野】
【０００１】
本発明は、セグメント方式のＯＦＤＭ信号を受信するＯＦＤＭ受信装置に関する。
【背景技術】
【０００２】
日本の地上デジタルテレビ放送では、伝送方式としてＯＦＤＭ（直交周波数分割多重：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が採用されている。地上デジタルテレビ放送において、１チャンネル（６ＭＨｚ）は、１３セグメントに分割されている。１３セグメントのうち１２セグメントが固定受信機向けの放送（１２セグメント放送）に用いられ、残りの１セグメントが、携帯電話などの移動体受信機向けの放送（１セグメント放送）に用いられる。
【０００３】
１セグメント放送では、受信状況の良くない環境下での視聴を可能にするために、１２セグメント放送とは異なる伝送パラメータが用いられている。たとえば、１２セグメント放送では、変調方式として符号化率の高い６４ＱＡＭが用いられているのに対し、１セグメント放送では、ＱＰＳＫが用いられている。
【０００４】
【特許文献１】特開２００６−３１０９４８号公報
【発明の開示】
【発明が解決しようとする課題】
【０００５】
上記特許文献１には、１２セグメント放送および１セグメント放送の両方に対応したテレビ受信システムが開示されている。特許文献１に係るテレビ受信システムは、１２セグメント放送に対応した受信機と、１セグメント放送に対応した受信機とを備えている。放送波の受信状況に応じて、１２セグメント放送および１セグメント放送のいずれかの映像データが液晶表示ディスプレイに出力される。受信状況の判定には、Ｃ／Ｎ（Ｃａｒｒｉｅｒ  ｔｏ  Ｎｏｉｓｅ）、ＢＥＲ（Ｂｉｔ  Ｅｒｒｏｒ  Ｒａｔｅ）などのパラメータが用いられる。
【０００６】
しかしながら、特許文献１に係るテレビ受信システムでは、１２セグメント放送に対応した受信機および１セグメント放送に対応した受信機が、ＯＦＤＭ復調処理などの受信処理を並列的に行っている。たとえば、ユーザが１セグメント放送を視聴している場合でも、１２セグメント放送に対応する受信処理がバックグラウンドで行われている。このため、特許文献１に係るテレビ受信システムでは、通常の地上デジタル放送の受信機と比べて、消費電力量が多くなるという問題があった。
【０００７】
そこで、本発明は前記問題点に鑑み、１２セグメント放送および１セグメント放送のいずれにも対応し、かつ消費電力量を抑えることができるＯＦＤＭ受信装置を提供することを目的とする。
【課題を解決するための手段】
【０００８】
上記課題を解決するため、請求項１記載の発明は、ＯＦＤＭ受信装置であって、セグメント方式のＯＦＤＭ（直交周波数分割多重）信号を受信し、前記ＯＦＤＭ信号を周波数領域の信号に復調するＯＦＤＭ復調部と、前記ＯＦＤＭ信号の受信品質を示す品質情報として、ドップラーシフト値を前記周波数領域の信号から検出する品質情報検出部と、前記ドップラーシフト値に基づいて復調するセグメントを前記ＯＦＤＭ復調部に指示する復調セグメント指示部と、を備えることを特徴する。
【０００９】
請求項２記載の発明は、請求項１に記載のＯＦＤＭ受信装置において、さらに、前記ＯＦＤＭ復調部を動作させるシステムクロックの周波数を、前記復調するセグメントに応じて変更するクロック生成部、を備えることを特徴とする。
【００１０】
請求項３記載の発明は、請求項２に記載のＯＦＤＭ受信装置において、前記ＯＦＤＭ復調部は、前記ＯＦＤＭ信号を、第１のサンプリングクロックに基づいてデジタル信号に変換するＡ／Ｄ変換部と、第２のサンプリングクロックに基づく高速フーリエ変換を実行して、前記デジタル信号を前記周波数領域の信号に変換する高速フーリエ変換部と、を含み、前記ＯＦＤＭ受信装置は、さらに、前記システムクロックを所定の第１の分周比で分周して前記第１のサンプリングクロックを生成し、前記システムクロックを所定の第２の分周比で分周して前記第２のサンプリングクロックを生成するサンプリングクロック生成部、を備えることを特徴とする。
【００１１】
上記課題を解決するため、請求項１記載の発明は、ＯＦＤＭ受信装置であって、セグメント方式のＯＦＤＭ（直交周波数分割多重）信号を受信し、前記ＯＦＤＭ信号を周波数領域の信号に復調するＯＦＤＭ復調部と、前記ＯＦＤＭ信号の受信品質を示す品質情報として、ドップラーシフト値を前記周波数領域の信号に含まれるシンボルから検出する品質情報検出部と、前記ドップラーシフト値に基づいて復調するセグメントを前記ＯＦＤＭ復調部に指示する復調セグメント指示部と、を備えることを特徴する。
【００１２】
請求項５記載の発明は、請求項３または請求項４に記載のＯＦＤＭ受信装置において、前記高速フーリエ変換部は、一つのセグメントに対応する前記デジタル信号を高速フーリエ変換する第１の演算部と、複数のセグメントに対応する前記デジタル信号を高速フーリエ変換する第２の演算部と、前記復調するセグメントに応じて、前記第２のサンプリングクロックを前記第１の演算部および前記第２の演算部のいずれかに供給する制御部と、を含むことを特徴する。
【００１４】
請求項６記載の発明は、請求項１ないし請求項５のいずれかに記載のＯＦＤＭ受信装置において、前記品質情報検出部は、前記周波数領域の信号からＣ／Ｎを検出することを特徴とする。
【００１５】
請求項７記載の発明は、請求項１ないし請求項５のいずれかに記載のＯＦＤＭ受信装置において、さらに、前記周波数領域の信号を復号してデータ信号を生成する復号部、を備え、前記品質情報検出部は、前記データ信号の誤り訂正に基づいて得られるＢＥＲを検出することを特徴とする。
【００１６】
請求項８記載の発明は、請求項１ないし請求項７のいずれかに記載のＯＦＤＭ受信装置において、前記復調セグメント指示部は、前記ＯＦＤＭ信号に含まれる制御信号を、前記周波数領域の信号から検出する制御信号検出部、を含み、前記復調セグメント指示部は、前記制御信号に基づいて前記復調するセグメントの変更が可能かどうかを判断することを特徴とする。
【００１７】
請求項９記載の発明は、請求項２に記載のＯＦＤＭ受信装置において、前記復調セグメント指示部は、前記ＯＦＤＭ信号に含まれるガードインターバルを受信するタイミングで前記復調するセグメントを前記ＯＦＤＭ復調部に指示し、前記クロック生成部は、前記システムクロックの周波数を前記タイミングで変更することを特徴とする。
【発明の効果】
【００１８】
本発明に係るＯＦＤＭ受信装置は、受信したＯＦＤＭ信号を周波数領域の信号に復調し、周波数領域の信号から検出した品質情報に基づいて復調するセグメントを決定する。これにより、ＯＦＤＭ信号の受信状況に応じて復調するセグメントを変更できるため、消費電力量を低減することができる。
【００１９】
また、本発明に係るＯＦＤＭ受信装置は、復調するセグメントに応じてＯＦＤＭ復調部のシステムクロックの周波数を変更する。これにより、ＯＦＤＭ受信装置が復調するセグメントに応じた処理速度で動作できるため、消費電力量を低減することができる。
【００２０】
また、本発明に係るＯＦＤＭ受信装置は、復調するセグメントに応じて高速フーリエ変換に用いる演算部を切り替える。これにより、消費電力量をさらに低減させることができる。
【発明を実施するための最良の形態】
【００２１】
｛ＯＦＤＭ受信装置の全体構成｝
以下、図面を参照しつつ本発明の実施の形態について説明する。図１は、本実施の形態に係るＯＦＤＭ受信装置１の構成を示すブロック図である。ＯＦＤＭ受信装置１は、アンテナ２と、チューナ３と、ベースバンド処理部４と、ソース復号器５と、Ｄ／Ａ変換部６とを備えている。
【００２２】
アンテナ２は、ＯＦＤＭ送信装置（図示せず）から送信されたＲＦ（Ｒａｄｉｏ  Ｆｒｅｑｕｅｎｃｙ）信号１００を受信する。ＲＦ信号１００は、地上デジタルテレビ放送に対応する信号である。チューナ３は、アンテナ２で受信されたＲＦ信号１００をＩＦ（Ｉｎｔｅｒｍｅｄｉａｔｅ  Ｆｒｅｑｕｅｎｃｙ）信号に周波数変換する。ＩＦ信号は、高周波成分が除去され、チューナ３から出力される。
【００２３】
ベースバンド処理部４は、ＩＦ信号に対してＯＦＤＭ復調処理、デマッピング処理、誤り訂正処理などを施して、ＩＦ信号をデータ信号に復調する。ベースバンド処理部４については後述するが、本発明の特徴的部分である。
【００２４】
ソース復号器５は、ベースバンド処理部４から出力されたデータ信号を、ＭＰＥＧ（Ｍｏｖｉｎｇ  Ｐｉｃｔｕｒｅ  Ｅｘｐｅｒｔｓ  Ｇｒｏｕｐ）−２方式あるいはＨ．２６４方式などに基づいて復号化する。Ｄ／Ａ変換器６は、復号化されたデジタル信号をアナログ信号に変換し、液晶表示ディスプレイ（図示せず）などに出力する。
【００２５】
｛ベースバンド処理部の構成｝
次に、ベースバンド処理部４の構成について詳しく説明する。図１に示すように、ベースバンド処理部４は、Ａ／Ｄ変換器４１と、ベースバンド変換器４２と、デジタルフィルタ４３と、リサンプラ４４と、ＦＦＴ（Ｆａｓｔ  Ｆｏｕｒｉｅｒ  Ｔｒａｎｓｆｏｒｍ：高速フーリエ変換）処理部４５と、等化器４６と、チャネル復号器４７と、判定部４８と、クロック生成部４９とを備えている。
【００２６】
ベースバンド処理部４は、狭帯域復調処理および広帯域復調処理のいずれかを実行する。狭帯域復調処理とは、１セグメント放送に対応するセグメントを用いてデータ信号を復調する処理を指す。広帯域復調処理とは、１３セグメントを用いてデータ信号を復調する処理を指し、ＯＦＤＭ受信装置１が１２セグメント放送を受信する際に実行される。ベースバンド処理部４は、ＲＦ信号１００の受信状況に応じて、復調するセグメントを変更することができる。
【００２７】
Ａ／Ｄ変換機４１は、チューナ３から出力されたアナログ形式のＩＦ信号を、サンプリングクロック７１に基づくデジタル信号（シンボル信号）に変換する。ベースバンド変換器４２は、シンボル信号をベースバンド帯域の複素信号に変換する。シンボル信号は、局部発振器４２１から出力される局部発振信号とミキサ４２２で乗算されることで複素信号に変換される。局部発振信号は、局部発振器４２１に入力されるサンプリングクロック７２に基づいて生成される。
【００２８】
デジタルフィルタ４３は、適応フィルタであり、判定部４８が指示した周波数帯域の複素信号を抽出する。リサンプラ４４は、サンプリングクロック７１に基づく複素信号を、ＦＦＴ演算で用いられるサンプリングクロック７３に合わせてＦＦＴ処理部４５に出力する。ＦＦＴ処理部４５は、高速フーリエ変換処理を行うことで、時間領域の複素信号を周波数領域の複素信号（以下、「受信ＯＦＤＭ信号」という）に変換する。
【００２９】
等化器４６は、ＲＦ信号１００の伝送路を推定し、受信ＯＦＤＭ信号を等化する。チャネル復号器４７は、デマッピング、ビタビ復号化、リードソロモン復号化などの各処理を行うことで、等化された受信ＯＦＤＭ信号をデータ信号に復号化する。
【００３０】
判定部４８は、受信ＯＦＤＭ信号から抽出したフェーディング情報に基づいて、広帯域復調処理および狭帯域復調処理のどちらを実行するかを判定する。
【００３１】
クロック生成部４９は、判定部４８の判定結果に応じて、サンプリングクロック７１〜７３および各ブロックで用いられる動作クロックを生成する。クロック生成部４９は、ＰＬＬ（Ｐｈａｓｅｄ  Ｌｏｃｋ  Ｌｏｏｐ）回路４９１と、サンプリングクロック生成部４９２と、動作クロック生成部４９３とを備えている。ＰＬＬ回路４９１は、ベースバンド処理部４で用いられるシステムクロック７０を生成する。サンプリングクロック生成部４９２は、システムクロック７０を分周して、それぞれ周波数が異なるサンプリングクロック７１〜７３を生成する。動作クロック生成部４９３は、システムクロック７０を分周して、機能ブロックごとの動作クロックを生成する。
【００３２】
｛判定部の構成｝
次に、判定部４８の構成について説明する。図２は、判定部４８の構成を示すブロック図である。判定部４８は、フェーディング検出部４８１と、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏl：伝送多重制御）復調部４８２と、復調セグメント指示部４８３とを備える。
【００３３】
フェーディング検出部４８１は、受信ＯＦＤＭ信号からドップラーシフト値をフェーディング情報として検出する。ＴＭＣＣ復調部４８２は、受信ＯＦＤＭ信号に含まれるＴＭＣＣ情報を復調する。ＴＭＣＣ情報は、受信ＯＦＤＭ信号からデータ信号が復調される際に用いられる制御情報である。復調セグメント指示部４８３は、フェーディング情報に基づいてＲＦ信号１００の受信状況を判定し、ＲＦ信号１００の受信状況に応じて復調するセグメントを決定する。
【００３４】
｛ＦＦＴ処理部の構成｝
次に、ＦＦＴ処理部４５の構成ついて説明する。図３は、ＦＦＴ処理部４５の構成を示すブロック図である。ＦＦＴ処理部４５は、狭帯域演算部４５１と、広帯域演算部４５２と、制御部４５３とを備える。狭帯域演算部４５１は、１セグメントに対応するポイント数に基づくＦＦＴ演算を実行する。広帯域演算部４５２は、１３セグメントに対応するポイント数に基づくＦＦＴ演算を実行する。制御部４５３は、狭帯域演算部４５１および広帯域演算部４５２を制御する。
【００３５】
｛復調セグメント変更処理の流れ｝
次に、ＯＦＤＭ受信装置１で行われる復調セグメント変更処理の流れについて説明する。復調セグメント変更処理とは、ＲＦ信号１００の受信状況に応じて、広帯域復調処理から狭帯域復調処理、または狭帯域復調処理から広帯域復調処理に変更する処理をいう。
【００３６】
ここでは、広帯域復調処理から狭帯域復調処理に切り替わる際のＯＦＤＭ受信装置１の動作を例にして説明する。ＯＦＤＭ受信装置１は、自動車に搭載されており、静止状態で広帯域復調処理を実行しているものとする。このような状態において、ＯＦＤＭ受信装置１は、以下のように動作している。
【００３７】
ＯＦＤＭ受信装置１の各機能ブロックは、広帯域復調処理に対応した動作クロックで動作している。具体的には、ＰＬＬ回路４９１が、広帯域復調処理に対応するｆ１（Ｈｚ）のシステムクロック７０を生成している。動作クロック生成部４９３が、ｆ１（Ｈｚ）のシステムクロック７０を機能ブロックごとに定められた分周比で分周して、各機能ブロックに対応する動作クロックを生成する。
【００３８】
サンプリングクロック生成部４９２は、ｆ１（Ｈｚ）のシステムクロック７０から、サンプリングクロック７１〜７３を生成している。動作クロックと同様に、システムクロック７０とサンプリングクロック７１〜７３との各分周比が定められている。サンプリングクロック７１〜７３は、各分周比でシステムクロック７０が分周されることで生成される。たとえば、広帯域復調処理におけるサンプリングクロック７１の周波数は、８．１２７（ＭＨｚ）である。
【００３９】
デジタルフィルタ４３は、１３セグメントに対応する周波数帯域の複素信号を抽出する。リサンプラ４４は、８．１２７（ＭＨｚ）でデジタルフィルタ４３から入力される複素信号を直並列変換し、サンプリングクロック７３の周波数に基づいて複素信号をＦＦＴ処理部４５に出力する。
【００４０】
ＦＦＴ処理部４５において、広帯域演算部４５２がリサンプラ４４から入力した複素信号のＦＦＴ演算を行う。このとき、制御部４５３は、広帯域演算部４５２にサンプリングクロック７３および動作クロックを出力している。狭帯域演算部４５１には、サンプリングクロック７３などは入力されない。
【００４１】
判定部４８において、フェーディング検出部４８１は、受信ＯＦＤＭ信号からドップラーシフト値を継続的に検出している。ドップラーシフト値は、ＳＰ（Ｓｃａｔｔｅｒｅｄ  Ｐｉｌｏｔ）などのパイロットシンボルのパワーの変化率から推定することができる。たとえば、フェーディング検出部４８１は、受信ＯＦＤＭ信号の各シンボルからパイロットシンボルの平均パワーを算出し、複数のシンボルにわたってパイロットシンボルの平均パワーの変化率を求め、この変化率からドップラーシフト値を推定する。なお、ここでは、ＯＦＤＭ受信装置１が静止状態にある場合を想定しているため、ドップラーシフト値は０である。このため、復調セグメント指示部４８３は、ＲＦ信号１００の受信状況が良好であると判定し、広帯域復調処理を継続させる。
【００４２】
次に、ＯＦＤＭ受信装置１が、静止状態から移動を開始した場合を考える。つまり、自動車が加速するにつれて、レイリーフェーディングに基づくドップラーシフトが受信ＯＦＤＭ信号に発生する。
【００４３】
図４は、ドップラーシフト値とシステムクロック７０の周波数との関係を示す図である。図４に示すように、ドップラーシフト値が時刻ｔ１から上昇し、時刻ｔ２においてドップラーシフト値がΔｆ１（Ｈｚ）より大きくなっている。また、時刻ｔ２において、復調セグメント変更処理が行われ、システムクロック７０の周波数が、ｆ１（Ｈｚ）から狭帯域復調処理に対応するｆ２（Ｈｚ）に変化している。なお、ｆ１＝８×ｆ２（Ｈｚ）である。復調セグメント指示部４８３は、復調セグメント変更処理を実行するかどうかを判断するためのしきい値として、ドップラーシフト値Δｆ１（Ｈｚ）を保持している。
【００４４】
具体的には、Δｆ１（Ｈｚ）を超えるドップラーシフト値が検出された場合、復調セグメント指示部４８３は、ＯＦＤＭ受信装置１が移動しており、広帯域復調処理においてＯＦＤＭ受信信号を安定的に復号化できないと判定し、狭帯域受信処理に切り替えることを決定する。復調セグメント指示部４８３は、ＴＭＣＣ情報に記録されている部分受信フラグが「１」であるかどうかを確認する。部分受信フラグは、１セグメント放送が行われているかどうかを示す情報である。
【００４５】
部分受信フラグが「１」でない場合、復調セグメント指示部４８３は、広帯域復調処理を継続させる。一方、部分受信フラグが「１」の場合、復調セグメント指示部４８３は、１セグメント放送が受信可能であると判断し、狭帯域復調処理に切り替える。
【００４６】
具体的には、復調セグメント指示部４８３は、クロック切替信号８１をクロック生成部４９に出力する。クロック切替信号８１は、システムクロック７０の周波数の変更を指示する信号である。ＰＬＬ回路４９１は、クロック切替信号８１に基づいてｆ２（Ｈｚ）のシステムクロック７０を生成し、サンプリングクロック生成部４９２、動作クロック生成部４９３に供給する。
【００４７】
サンプリングクロック生成部４９２は、ｆ２（Ｈｚ）のシステムクロック７０からサンプリングクロック７１〜７３を生成する。このため、狭帯域復調処理におけるサンプリングクロック７１〜７３の各周波数は、広帯域復調処理における周波数の１／８となる。たとえば、狭帯域復調処理では、サンプリングクロック７１の周波数は１．０１６（ＭＨｚ）となる。同様に、動作クロック生成部４９３が出力する動作クロックの周波数も、広帯域復調処理時と比較して１／８となる。
【００４８】
復調セグメント指示部４８３は、フィルタ制御信号８２をデジタルフィルタ４３に出力する。フィルタ制御信号８２は、デジタルフィルタ４３が抽出する周波数帯域の変更を指示する信号である。デジタルフィルタ４３は、フィルタ制御信号８２に基づいてタップ係数を変更することで、狭帯域復調処理に対応する周波数帯域に変更する。
【００４９】
復調セグメント指示部４８３は、ポイント数変更信号８３をＦＦＴ処理部４５に出力する。ポイント数変更信号８３は、復調するセグメントの変更に応じてＦＦＴポイント数の切り替えを指示する信号である。制御部４５３は、ポイント数変更信号８３に基づいて、サンプリングクロック７３および動作クロックの供給先を、広帯域演算部４５２から狭帯域演算部４５１に変更する。
【００５０】
このようにして、復調セグメント変更処理を行うことで、ＯＦＤＭ受信装置１は、ＲＦ信号１００の受信状況に応じて動作状態を切り替えることができる。なお、復調セグメント変更処理は、ベースバンド処理部４にガードインターバルに対応するＩＦ信号が入力される期間に実行される。復調セグメント指示部４８３は、シンボル同期部（図示せず）が特定したシンボルタイミングを用いて、復調セグメント変更処理を実行するタイミングを特定することができる。
【００５１】
また、狭帯域復調処理から広帯域復調処理に切り替わる復調セグメント変更処理についても、上述と同様にして行われる。ここで、自動車が減速し、ドップラーシフトが小さくなる場合を考える。図４に示すように、時刻ｔ３から自動車が減速するに伴い、ドップラーシフト値も減少する。そして、ドップラーシフト値がΔｆ１（Ｈｚ）以下となる時刻ｔ４において、復調セグメント指示部４８３は、狭帯域復調処理から広帯域復調処理に切り替える復調セグメント変更処理を実行する。なお、時刻ｔ４において、復調セグメント指示部４８３は、ＴＭＣＣ情報の部分受信フラグの確認を行わない。
【００５２】
具体的には、クロック切替信号８１がクロック生成部４９に入力されることにより、システムクロック７０の周波数がｆ２（Ｈｚ）からｆ１（Ｈｚ）に変更される。これにより、サンプリングクロック生成部４９２、動作クロック生成部４９３から出力される各クロックは、広帯域復調処理に対応した周波数となる。また、デジタルフィルタ４３は、フィルタ制御信号８２の入力に応じて、複素信号を抽出する周波数帯域を１３セグメントに対応させる。ＦＦＴ処理部４５では、サンプリングクロック７３および動作クロックの供給先が、広帯域演算部４５２に変更される。このようにして、狭帯域復調処理から広帯域復調処理に切り替えられる。
【００５３】
以上説明したように、本実施の形態に係るＯＦＤＭ受信装置１は、受信ＯＦＤＭ信号から検出したフェーディング情報に基づいて復調するセグメントを決定する。これにより、狭帯域復調処理および広帯域復調処理のいずれか一方を処理することになるため、消費電力量を抑えることができる。
【００５４】
また、ＯＦＤＭ受信装置１は、復調するセグメントの数に応じてシステムクロック７０の周波数を切り替える。これにより、ＯＦＤＭ受信装置１は、復調するセグメントの数に応じて処理速度を変更することができるため、消費電力量を抑えることができる。
【００５５】
また、ＯＦＤＭ受信装置１は、複素信号に対するＦＦＴ演算を行う際に、復調するセグメントの数に基づいて狭帯域演算部４５１および広帯域演算部４５２のどちらを用いるかを決定する。このように、ＯＦＤＭ受信装置１は、復調するセグメントに応じて使用する回路を切り替えるため、消費電力量をさらに抑えることができる。
【００５６】
なお、本実施の形態において、判定部４８がフェーディング情報に基づいてＲＦ信号１００の受信状況を判定する例について説明したが、これに限られない。たとえば、判定部４８は、受信ＯＦＤＭ信号からＣ／Ｎを検出し、検出したＣ／Ｎに基づいてＲＦ信号１００の受信状況を確認してもよい。また、判定部４８は、誤り訂正処理の際に検出されるＢＥＲ（Ｂｉｔ  Ｅｒｒｏｒ  Ｒａｔｅ）をチャネル復号器４７から取得し、取得したＢＥＲに基づいてＲＦ信号１００の受信状況を確認してもよい。また、判定部４８は、Ｃ／Ｎ、ＢＥＲ、フェーディング情報を適宜組み合わせて、ＲＦ信号１００の受信状況を確認してもよい。
【００５７】
また、本実施の形態において、ＦＦＴ処理部４５は、狭帯域演算部４５１と広帯域演算部４５２とを備える例について説明したが、これに限られない。ＦＦＴ処理部４５は、ポイント数を切り換えられるＦＦＴ演算部を備えていてもよい。たとえば、ＦＦＴ演算部は、広帯域復調処理において１３セグメントに対応したポイント数のＦＦＴ演算を実行し、狭帯域復調処理において１セグメントに対応したポイント数でＦＦＴ演算を実行する。ＦＦＴ演算部は、狭帯域復調処理において使用しない回路部にサンプリングクロック７３を供給しないことで、狭帯域復調処理における消費電力量を低減させることができる。
【００５８】
また、本実施の形態において、判定部４８が、ＴＭＣＣ情報に記録された部分受信フラグを用いて狭帯域復調処理が実行できるかどうかを判定する例について説明したが、これに限られない。たとえば、判定部４８は、ＴＭＣＣ情報に記録された他の情報に基づいて復調セグメント変更処理を実行してもよい。たとえば、復調セグメント指示部４８３は、広帯域復調処理で対応できない変調方式などがＴＭＣＣ情報で指示されている場合などに、復調セグメント変更処理を実行してもよい。
【図面の簡単な説明】
【００５９】
【図１】本発明の実施の形態に係るＯＦＤＭ受信装置の構成を示すブロック図である。
【図２】判定部の構成を示すブロック図である。
【図３】ＦＦＴ処理部の構成を示すブロック図である。
【図４】ドップラーシフト値とシステムクロックの周波数との関係を示す図である。
【符号の説明】
【００６０】
１  ＯＦＤＭ受信装置
２  アンテナ
３  チューナ
４  ベースバンド処理部
５  ソース復号器
４１  Ａ／Ｄ変換機
４２  ベースバンド変換器
４３  デジタルフィルタ
４５  ＦＦＴ処理部
４７  チャネル復号器
４８  判定部
４９  クロック生成部
４８１  フェーディング検出部
４８２  ＴＭＣＣ復調部
４８３  復調セグメント指示部
【図１】
0005395368.tif 000002
【図２】
0005395368.tif 000003
【図３】
0005395368.tif 000004
【図４】
0005395368.tif 000005